(57)【特許請求の範囲】
【請求項１】
コイルへの通電に応じてプランジャが進退する電磁石装置と、
前記プランジャの進退動作に応じて接点部のオン／オフを切り替える開閉機構部とを備え、
前記電磁石装置は、板状に形成されて前記プランジャの進退方向における両端にそれぞれ固着された第１及び第２の接極子と、前記プランジャの前進位置及び後進位置でそれぞれ前記第１の接極子、前記第２の接極子に接触して閉磁路を形成するヨークを備え、
前記ヨークが、前記プランジャの前端側が挿入される第１挿入孔が設けられた板状の第１中央片を有し、前記第１挿入孔の周縁部で前記第１の接極子に当接する第１分割ヨークと、前記プランジャの後端側が挿入される第２挿入孔が設けられた板状の第２中央片を有し、前記第２挿入孔の周縁部で前記第２の接極子に当接する第２分割ヨークとを具備したことを特徴とするリモコンリレー。
【請求項２】
前記電磁石装置は、前記コイルが巻かれるコイルボビンを具備し、
前記第１分割ヨーク及び前記第２分割ヨークにそれぞれ設けられた第１被係合部に係合することで、前記第１分割ヨーク及び前記第２分割ヨークを進退方向において位置決めする第１係合部が、前記コイルボビンに設けられたことを特徴とする請求項１記載のリモコンリレー。
【請求項３】
前記コイルへの通電方向を切り替える切替回路が樹脂成形品からなる基台に設けられた切替回路ブロックを備え、
この切替回路ブロックは、前記プランジャに対して進退方向と直交する方向の片側に配置されて、樹脂成形品からなる前記コイルボビンに固定され、
前記プランジャに対して進退方向と直交する方向の片側では、前記基台に設けられた第２係合部が、前記第１分割ヨーク及び前記第２分割ヨークにそれぞれ設けられた第２被係合部に係合することで、前記第１分割ヨーク及び前記第２分割ヨークが進退方向において位置決めされ、
前記プランジャに対して進退方向と直交する方向の反対側では、前記コイルボビンに設けられた前記第１係合部が前記第１被係合部に係合することで、前記第１分割ヨーク及び前記第２分割ヨークが進退方向において位置決めされることを特徴とする請求項２記載のリモコンリレー。
【請求項４】
前記電磁石装置及び前記開閉機構部を収納するケースを備え、
このケースに設けられたリブを前記電磁石装置に当接させることによって、前記電磁石装置が進退方向において位置決めされることを特徴とする請求項１乃至３の何れか１項に記載のリモコンリレー。
【発明の詳細な説明】
【技術分野】
【０００１】
本発明は、リモコンリレーに関するものである。
【背景技術】
【０００２】
従来、例えば特許文献１に示されるようなラッチング形のリモコンリレーが提供されている。このリモコンリレーに用いられる有極電磁石の分解斜視図を図１１に、断面図を図１２（ａ）〜（ｄ）にそれぞれ示す。
【０００３】
この有極電磁石２０のヨークは、２個の分割ヨーク２１を組み合わせて構成される。２個の分割ヨーク２１は、磁性材料により同一の形状に形成されており、矩形板状の中央片２１ａと、中央片２１ａの両側縁から一方向にそれぞれ突出する脚片２１ｂ，２１ｂとで、略コ形に形成されている。２個の分割ヨーク２１は、プランジャ２７に対して図１１中の上下方向両側に、脚片２１ｂの先端面がギャップ２２を介して対向するように配置されており、全体として四角筒状をなしている。
【０００４】
分割ヨーク２１の中央片２１ａの内側面には永久磁石２３の一方の磁極が当接し、この永久磁石２３の他方の磁極には補助ヨーク２４が当接する。
【０００５】
２個の補助ヨーク２４は、コイル枠２６に巻かれたコイル２５を、上下両側から囲むように配置されている。コイル枠２６は絶縁材料から形成され、コイル２５が巻かれる筒状の巻胴部２６ａと、巻胴部２６ａの両端部に設けられた矩形板状の鍔部２６ｂと、両鍔部２６ｂの上下方向に沿う両側縁から巻胴部２６ａと反対側に突出する板状の側部２６ｃとを備える。巻胴部２６ａの筒内には、磁性材料からなるプランジャ２７が、コイル枠２６の軸方向に進退自在に挿入されている。このプランジャ２７の両端部には、進退時に脚片２１ｂ又は補助ヨーク２４に当接することによって、プランジャ２７の移動範囲を規制し、且つ磁気回路を形成する接極子２８がかしめ固定されている。尚、図１１中の２９は、接極子２８と分割ヨーク２１との間に介在されるレシジュアルプレートである。
【０００６】
この有極電磁石２０が備えるコイル２５は１巻線型であって、コイル２５への通電方向に応じてプランジャ２７が進退し、且つプランジャ２７は永久磁石２３の磁力によって停止位置で保持される。すなわち、図１２（ａ）に示すように前方移動時の停止位置では、永久磁石２３−補助ヨーク２４−接極子２８−プランジャ２７−接極子２８−分割ヨーク２１−永久磁石２３という経路で閉磁路が形成され、プランジャ２７がこの停止位置で保持される。
【先行技術文献】
【特許文献】
【０００７】
【特許文献１】特開２００２−１１００１３号公報
【発明の概要】
【発明が解決しようとする課題】
【０００８】
上記構成のリモコンリレーでは、略コ形の分割ヨーク２１，２１が上下両側から組み合わされており、分割ヨーク２１の寸法にばらつきがなければ、図１２（ｂ）に示すように、上下の分割ヨーク２１（脚片２１ｂ）と接極子２８との当たり具合は均一になる。一方、上下の分割ヨーク２１で寸法のばらつきが大きければ、図１２（ｃ）（ｄ）に示すように一方（例えば上側）の分割ヨーク２１の脚片２１ｂと接極子２８との間に隙間ＧＡＰが発生する。そのため、上下の分割ヨーク２１で、接極子２８との当たりが均一にならず、磁気回路が分離することによって全体として磁気吸引力が低下するという問題があった。また、上下の分割ヨーク２１で磁気吸引力がばらつき、しかも片側の分割ヨーク２１と接極子２８との間に隙間が発生しているため、がたつきによる唸り音が発生するという問題もあった。
【０００９】
本発明は上記課題に鑑みて為されたものであり、その目的とするところは、ヨークと接極子との間の隙間を均一にすることで磁気吸引力を安定化させ、且つ唸り音の発生を抑制したリモコンリレーを提供することにある。
【課題を解決するための手段】
【００１０】
上記課題を解決するために、本発明のリモコンリレーは、コイルへの通電に応じてプランジャが進退する電磁石装置と、プランジャの進退動作に応じて接点部のオン／オフを切り替える開閉機構部とを備える。電磁石装置は、板状に形成されてプランジャの進退方向における両端にそれぞれ固着された第１及び第２の接極子と、プランジャの前進位置及び後進位置でそれぞれ第１の接極子、第２の接極子に接触して閉磁路を形成するヨークを備える。ヨークは、プランジャの前端側が挿入される第１挿入孔が設けられた板状の第１中央片を有し、第１挿入孔の周縁部で第１の接極子に当接する第１分割ヨークと、プランジャの後端側が挿入される第２挿入孔が設けられた板状の第２中央片を有し、第２挿入孔の周縁部で第２の接極子に当接する第２分割ヨークとを具備する。本発明のリモコンリレーは、上記の構成を具備することを特徴とする。
【００１１】
このリモコンリレーにおいて、電磁石装置は、コイルが巻かれるコイルボビンを具備する。第１分割ヨーク及び第２分割ヨークにそれぞれ設けられた第１被係合部に係合することで、第１分割ヨーク及び第２分割ヨークを進退方向において位置決めする第１係合部が、コイルボビンに設けられることも好ましい。
【００１２】
また、このリモコンリレーにおいて、コイルへの通電方向を切り替える切替回路が樹脂成形品からなる基台に設けられた切替回路ブロックを備え、この切替回路ブロックは、プランジャに対して進退方向と直交する方向の片側に配置されて、樹脂成形品からなるコイルボビンに固定され、プランジャに対して進退方向と直交する方向の片側では、基台に設けられた第２係合部が、第１分割ヨーク及び第２分割ヨークにそれぞれ設けられた第２被係合部に係合することで、第１分割ヨーク及び第２分割ヨークが進退方向において位置決めされ、プランジャに対して進退方向と直交する方向の反対側では、コイルボビンに設けられた第１係合部が第１被係合部に係合することで、第１分割ヨーク及び第２分割ヨークが進退方向において位置決めされることが好ましい。
【００１３】
また、このリモコンリレーにおいて、電磁石装置及び開閉機構部を収納するケースを備え、このケースに設けられたリブを電磁石装置に当接させることによって、電磁石装置が進退方向において位置決めされることも好ましい。
【発明の効果】
【００１４】
本発明によれば、ヨークと接極子との間の隙間を均一にすることで磁気吸引力を安定化させることができ、さらに唸り音の発生も抑制することができる。
【図面の簡単な説明】
【００１５】
【図１】本実施形態のリモコンリレーに用いられる有極電磁石を示し、（ａ）は組立前の状態の説明図、（ｂ）は側方から見た断面図である。
【図２】同上のリモコンリレーに用いられる有極電磁石の分解斜視図である。
【図３】同上のリモコンリレーの分解斜視図である。
【図４】同上のリモコンリレーを示し、（ａ）はカバーを外した状態の側面図、（ｂ）は緩衝ばねの斜視図である。
【図５】同上のリモコンリレーに用いられる別の有極電磁石を側方から見た断面図である。
【図６】同上のリモコンリレーに用いられる別の有極電磁石を示し、（ａ）はコイル枠にヨークを取り付ける前の状態を上側から見た図、（ｂ）は側方から見た図である。
【図７】同上のリモコンリレーに用いられるまた別の有極電磁石を示し、（ａ）はコイル枠に切替回路ブロックを取り付ける前の状態を側方から見た図、（ｂ）はコイル枠に切替回路ブロックを取り付けた状態を側方から見た図、（ｃ）はコイル枠に切替回路ブロックを取り付けた状態を側方から見た断面図である。
【図８】同上のリモコンリレーの他の形態を示し、（ａ）はカバーを外した状態の側面図、（ｂ）はボディの外観斜視図である。
【図９】（ａ）は同上のリモコンリレーを用いる遠隔監視制御システムの概略構成図、（ｂ）はリモコンリレーの内部回路図である。
【図１０】同上の遠隔監視制御システムに用いる伝送信号の説明図である。
【図１１】従来のリモコンリレーに用いられる有極電磁石の分解斜視図である。
【図１２】従来のリモコンリレーに用いられる有極電磁石を示し、（ａ）（ｃ）は断面図、（ｂ）はＡ部拡大断面図、（ｄ）はＢ部拡大断面図である。
【発明を実施するための形態】
【００１６】
本発明の技術思想を、遠隔監視制御システムに用いられるラッチング形のリモコンリレーに適用した実施形態について図１〜図１０に基づいて説明する。尚、以下の説明では特に断りがないかぎり、図１（ｂ）に示す向きにおいて上下左右の方向を規定する。
【００１７】
図３はリモコンリレー１の分解斜視図であり、このリモコンリレー１のケース１０は、分電盤協約寸法として規格化されている１個モジュール寸法（単位寸法）に設定されている。このケース１０は、幅方向の一面が開口した略箱状の合成樹脂成形品からなるボディ１１と、ボディ１１の開口を覆う合成樹脂成形品からなるカバー１２とで構成される。ボディ１１およびカバー１２にはそれぞれ複数の組立孔１３，１４が形成されている。これらの組立孔１３，１４にカバー１２側からかしめピン１５を挿入し、ボディ１１におけるカバー１２とは反対側の側面に突出するかしめピン１５の先端部をかしめることによって、ボディ１１とカバー１２とが結合される。
【００１８】
図３及び図４（ａ）に示すように、ケース１０の内部には、コイルへの通電に応じてプランジャが進退（前進又は後進）する有極電磁石２０（電磁石装置）と、プランジャの進退動作に応じて接点部のオン／オフを切り替える開閉機構部７０が収納されている。
【００１９】
図１（ｂ）に有極電磁石２０の断面図を、図２に有極電磁石２０の分解斜視図をそれぞれ示す。この有極電磁石２０は、コイル２５と、コイル枠２６と、プランジャ２７と、接極子２８ａ，２８ｂと、ヨーク３０と、レシジュアルプレート２９と、永久磁石２３，２３と、補助ヨーク２４，２４を備える。
【００２０】
接極子（第１及び第２の接極子）２８ａ，２８ｂは、磁性材料により矩形板状に形成され、プランジャ２７の進退方向における両端にそれぞれ固着されている。
【００２１】
ヨーク３０は、プランジャ２７の前進位置及び後進位置でそれぞれ接極子２８ａ、接極子２８ｂに接触して閉磁路を形成する。このヨーク３０は、図１（ａ）（ｂ）に示すように全体として四角筒状をなし、プランジャ２７の進退方向（図１の左右方向）において２分割された２個の分割ヨーク３１Ａ，３１Ｂで構成される。２個の分割ヨーク３１Ａ，３１Ｂは磁性材料により同一の形状に形成されており、矩形板状の中央片３１ａと、中央片３１ａの両側縁から一方向にそれぞれ突出する脚片３１ｂ，３１ｂとで、略コ形に形成されている。各分割ヨーク３１Ａ，３１Ｂの中央片３１ａには、プランジャ２７の前端側又は後端側が挿入される挿入孔３１ｃ（第１挿入孔、第２挿入孔）が設けられている。２個の分割ヨーク３１Ａ，３１Ｂは、プランジャ２７の進退方向に並べて、脚片３１ｂの先端面同士が所定のギャップを介して対向するように配置され、全体として四角筒状をなしている（図１（ｂ）参照）。両分割ヨーク３１Ａ，３１Ｂの脚片３１ｂ，３１ｂの内側面には、永久磁石２３の一方の磁極が、２個の分割ヨーク３１Ａ，３１Ｂに跨るように当接している。この永久磁石２３の他方の磁極には、磁性材料により略板状に形成された補助ヨーク２４の一面が接触している。
【００２２】
２個の補助ヨーク２４は、コイル枠２６（コイルボビン）に巻かれたコイル２５を、上下両側から囲むように配置されている。コイル枠２６は絶縁材料により形成され、コイル２５が巻かれる筒状の巻胴部２６ａと、巻胴部２６ａの軸方向両端部に設けられた板状の鍔部２６ｂと、両鍔部２６ｂの上下方向に沿う両側縁から巻胴部２６ａと反対側に突出する板状の側部２６ｃとを備える。巻胴部２６ａの筒内には、磁性材料により形成されたプランジャ２７が、コイル枠２６の軸方向において進退自在に挿入されている。プランジャ２７の両端部は中央部に比べて幅が狭くなっており、接極子２８ａ，２８ｂの嵌合孔にプランジャ２７の左右方向の端部をそれぞれ圧入することで、プランジャ２７の両端部に接極子２８ａ，２８ｂがかしめ固定される。接極子２８ａは、プランジャ２７の前進時に左側の分割ヨーク３１Ａの中央片３１ａ（第１中央片）に当接することによって、プランジャ２７の前方（図１の左側）への移動範囲を規制する。この時、他方の接極子２８ｂが補助ヨーク２４と接触することで、接極子２８ａ−ヨーク３０−永久磁石２３−補助ヨーク２４−接極子２８ｂ−プランジャ２７の経路で閉磁路が形成されるので、プランジャ２７はその位置で保持される。また接極子２８ｂは、プランジャ２７の後進時に右側の分割ヨーク３１Ｂの中央片３１ａ（第２中央片）に当接することによって、プランジャ２７の後方（図１の右側）への移動範囲を規制する。この時、他方の接極子２８ａは補助ヨーク２４の左端部に微少なギャップを介して対向し、接極子２８ｂ−ヨーク３０−永久磁石２３−補助ヨーク２４−接極子２８ａ−プランジャ２７の経路で閉磁路が形成されるので、プランジャ２７はその位置で保持される。
【００２３】
ここで、コイル２５は１巻線型であって、コイル２５への通電方向に応じてプランジャ２７が前進又は後進する。そして、接極子２８ａ又は２８ｂがヨーク３０に当接する位置までプランジャ２７が前進又は後進すると、コイル２５への通電が停止されても、永久磁石２３の磁力によってプランジャ２７が停止位置で保持されるのである。
【００２４】
この有極電磁石２０は、図３及び図４（ａ）に示すように、ボディ１１におけるカバー１２との対向面に突設された仕切片１１ａ，１１ｂの間に配置される。有極電磁石２０と仕切片１１ｂとの間には、板ばねよりなる緩衝ばね１６（図４（ｂ）参照）が取り付けられており、有極電磁石２０は仕切片１１ａに押し付けられた状態で収納されている。したがって、緩衝ばね１６で有極電磁石２０が位置決めされるとともに、プランジャ２７の進退に伴う振動が緩衝ばね１６によって緩和されることになる。
【００２５】
次に、有極電磁石２０が備えるプランジャ２７の前進動作又は後進動作に応じて、後述する接点部ｒ１のオン／オフを切り替える開閉機構部７０について説明する。
【００２６】
開閉機構部７０は、連動レバー３２と、接圧ばね３５と、切替回路ブロック６０とを主要な構成として備えている。
【００２７】
連動レバー３２は絶縁性の合成樹脂成形品からなり、プランジャ２７の先端部（図２中の左端部）に取り付けた軸ピン３３が軸孔（図示せず）に挿入されることによって、プランジャ２７の先端部に回転自在に連結されている。また連動レバー３２は、コイル枠２６に設けた一対の支持片２６ｄに通された軸ピン３４を、中間部に設けられた孔（図示せず）に挿入させることによって、コイル枠２６に回転自在に支持されている。軸ピン３３，３４は互いに平行であって、プランジャ２７が前進又は後進することによって、連動レバー３２が軸ピン３４を中心に揺動するのである。
【００２８】
図４に示すように、連動レバー３２の本体部３２ａの左側には長尺の板金からなる可動接触子４０が配置されており、可動接触子４０との対向面が開口する略コ型のばね受け部３２ｂが本体部３２ａと一体に設けられている。ばね受け部３２ｂは、コイルばねからなる接圧ばね３５の一端部を保持する。接圧ばね３５の他端は、本体部３２ａとばね受け部３２ｂとの間に挿入される可動接触子４０に接触する。すなわち、１個の可動接触子４０が１個の連動レバー３２に保持されるのである。
【００２９】
可動接触子４０は長尺の板金からなり、長手方向の一端部（下端部）には可動接点４１が固着され、他端部（上端部）には編組銅線よりなる接続線４２の一端が接続されている。ケース１０には、ケース１０の外部に露出させるようにして、座金付きの端子ねじ４４を有する端子板４３が固定されており、この端子板４３に接続線４２の他端が接続されている。また、可動接触子４０の長手方向の中間部には、接圧ばね３５のばね座となる突部（図示せず）が設けられ、この突部よりも下方には、連動レバー３２の位置決め突起３２ｃが挿入される貫通孔（図示せず）が設けられている。
【００３０】
連動レバー３２には、位置決め突起３２ｃの側方に、表面が湾曲して可動接触子４０が当接する支点突起３２ｄが設けられ、この支点突起３２ｄに可動接触子４０が当接するようになっている。
【００３１】
また連動レバー３２の上端には、ケース１０に開口する表示窓１０ａに臨む表示片３６が一体に設けられている。プランジャ２７の進退動作に応じて連動レバー３２が回転すると、表示窓１０ａから露出する表示片３６の部位が変化する。接点部ｒ１のオン時に表示窓１０ａから露出する表示片３６の部位には例えば「ＯＮ」などの文字が表記され、接点部ｒ１のオフ時に表示窓１０ａから露出する表示片３６の部位には例えば「ＯＦＦ」などの文字が表記されている。さらに、表示片３６において「ＯＮ」、「ＯＦＦ」の文字の間であって、表示窓１０ａから常時露出している部位には、操作溝３６ａが形成されている。而して、ドライバの先端部などの工具を表示窓１０ａに挿入して操作溝３６ａに係合させることによって、ケース１０の外部から連動レバー３２を手動で揺動させることができ、連動レバー３２の手動操作に応じて接点部ｒ１を開閉できるようにしてある。
【００３２】
可動接点４１に対向する固定接点５１は、ボディ１１に取り付けられた固定端子板５０の一端部に固着されている。固定端子板５０の他端部はケース１０の外部に露出しており、この露出部位には座金付きの端子ねじ５２が取り付けられている。ここにおいて、可動接点４１と固定接点５１とで接点部ｒ１が構成され、本実施形態のリモコンリレー１は１極の接点部ｒ１を備えている。尚、端子板４３と固定端子板５０はケース１０の幅方向に並べて収納されており、両者の間には絶縁性の合成樹脂からなる隔壁１８が取り付けられ、端子板４３と固定端子板５０の間の絶縁を確保している。
【００３３】
ところで、上述した有極電磁石２０のコイル２５は１巻線型であるので、プランジャ２７を進退させるには、コイル２５への通電方向を反転させる必要がある。したがって、図９（ｂ）に示すように、コイル２５には２種類の給電経路を択一的に選択する切替接点ｒ２が接続され、かつ切替接点ｒ２により選択された各給電経路にはそれぞれ逆流阻止要素としてのダイオードＤ１，Ｄ２が接続されている。ダイオードＤ１，Ｄ２における切替接点ｒ２と反対側の端子は共通に接続されている。ダイオードＤ１，Ｄ２は各給電経路を通過する電流が互いに逆向きになる関係に接続され、一方の給電経路で切替接点ｒ２→コイル２５の向きに電流が流れるとすれば、他方の給電経路ではコイル２５→切替接点ｒ２の向きに電流を流すようになっている。また、一方のダイオードＤ２のアノードと切替接点ｒ２の共通接点との間にはコンデンサＣと抵抗Ｒとの直列回路であるリセット用の微分回路が接続される。この回路構成により、有極電磁石２０のコイル２５への通電方向が切り替えられることによって、可動接点４１と固定接点５１とからなる接点部ｒ１を開閉することができる。
【００３４】
上述のようにコイル２５への通電方向が切替接点ｒ２により選択されるから、コイル２５への通電時にプランジャ２７の進退の位置が逆転するような通電方向が選択されるように切替接点ｒ２をプランジャ２７の進退に応じて切り換える必要がある。すなわち、プランジャ２７の進退と切替接点ｒ２とを連動させる必要がある。そこで、このリモコンリレー１では、連動レバー３２に接点操作片３７が設けられ、この接点操作片３７によって切替接点ｒ２の切替操作を行っている。
【００３５】
切替接点ｒ２及びその切替回路を有する切替回路ブロック６０は、有極電磁石２０の上面に載置される樹脂成形品の基台６１に、切替接点ｒ２や、切替接点ｒ２の切替回路が形成された接点基板（図示せず）を保持させている。基台６１には、２枚の固定接点板６３ａ，６３ｂと、各固定接点板６３ａ，６３ｂにそれぞれ対向する可動接点板６４ａ，６４ｂとが取り付けられている。この基台６１の周部には切欠６１ａが設けられ、コイル枠２６から上方に突設されたリブ２６ｆを切欠６１ａに係合させた状態で、両者を熱着することによって、基台６１がコイル枠２６に固定される。可動接点板６４ａ，６４ｂは、略コ形の接点支持板６４の両脚片にそれぞれ設けられ、対応する固定接点板６３ａ，６３ｂに対して接触する向きのばね力を有している。ここで、連動レバー３２の接点操作片３７は可動接点板６４ａ，６４ｂの間に挿入されている。そして、連動レバー３２がプランジャ２７の進退に伴って揺動すると、連動レバー３２の前進位置及び後進位置では、何れか一方の可動接点板６４ａ，６４ｂが接点操作片３７に押されて、固定接点板６３ａ，６３ｂから離れ、通電方向が切り替えられるのである。
【００３６】
また基台６１には一対のコイル端子板６５が取り付けられ、各コイル端子板６５には座金付きの端子ねじ６６が設けられている。したがって、コイル端子板６５を通して入力される外部信号を受けてコイル２５に通電すると、通電方向に応じてプランジャ２７が進退するのである。
【００３７】
次に、このリモコンリレー１の動作を説明する。まず、プランジャ２７が前方（図４中の左側）へ突出する向きにコイル２５が通電されると、プランジャ２７の突出に伴って連動レバー３２が軸ピン３３を中心として図４中の時計回りに回転し、可動接点４１が固定接点５１に接触する。ここで、可動接触子４０は支点突起３２ｄに当接しており、接圧ばね３５によって支点突起３２ｄを中心として右回りに回転させる力が付与されているから、可動接点４１の固定接点５１に対する接触圧が接圧ばね３５によって得られることになる。また、連動レバー３２の回転に伴い、可動接点板６４ｂが接点操作片３７に押されることによって、可動接点板６４ｂが固定接点板６３ｂから離れた状態となる。この時、コイル２５への通電方向としてプランジャ２７を後進させる向きのみが許可された状態になるため、コイル２５への通電が停止されるが、永久磁石２３の磁力によって、接点部ｒ１の閉極状態が維持される。
【００３８】
一方、コイル２５への通電方向を反転させると、プランジャ２７が後進、つまり図４中の右側に移動して、連動レバー３２が軸ピン３３を中心に図４中の反時計回りに回転するから、可動接点４１が固定接点５１から離れて接点部ｒ１が開極する。また、連動レバー３２の回転に伴い、可動接点板６４ａが接点操作片３７に押されることによって、可動接点板６４ａが固定接点板６３ａから離れた状態となる。この時、コイル２５への通電方向としてプランジャ２７を前進させる向きのみが許可された状態となるため、コイル２５への通電が停止されるが、永久磁石２３の磁力によって、接点部ｒ１の開極状態が維持される。
【００３９】
上述のように、本実施形態のリモコンリレー１に用いられる有極電磁石２０では、ヨーク３０が、プランジャ２７の進退方向において２分割された２個の分割ヨーク３１Ａ，３１Ｂで構成されている。左側の分割ヨーク３１Ａ（第１の分割ヨーク）は、プランジャ２７の前端側が挿入される第１挿入孔３１ｃを有し、この第１挿入孔３１ｃの周縁部で第１の接極子２８ａに当接する。また、右側の分割ヨーク３１Ｂ（第２の分割ヨーク）は、プランジャ２７の後端側が挿入される第２挿入孔３１ｃを有し、この第２挿入孔３１ｃの周縁部で第２の接極子２８ａに当接する。
【００４０】
これにより、分割ヨーク３１Ａ，３１Ｂの板状の中央片３１ａに接極子２８ａ，２８ｂを接触させることができるから、接極子２８ａ，２８ｂとヨーク３０との当たり具合を均一にでき、それによって磁気吸引力を均一にできる。したがって、磁気吸引力のバランスが均一になり、プランジャ２７が中間位置で停止したり、唸り音が発生したりするのを抑制することができる。
【００４１】
また、有極電磁石２０は、コイル２５が巻かれるコイル枠２６（コイルボビン）を具備している。ここで、図５及び図６に示すように、各分割ヨーク３１Ａ，３１Ｂの脚片３１ｂの側縁に切欠溝３１ｄ（第１被係合部）を設けるとともに、この切欠溝３１ｄに係合する突起２６ｅ（第１係合部）をコイル枠２６側に設けることも好ましい。
【００４２】
これにより、コイル枠２６の左右両側から分割ヨーク３１Ａ，３１Ｂがコイル枠２６に取り付けると、分割ヨーク３１Ａ，３１Ｂの切欠溝３１ｄに突起２６ｅが係合することによって、左右方向において分割ヨーク３１Ａ，３１Ｂが位置決めされる。したがって、プランジャ２７が前進又は後進した際に、プランジャ２７に固定された接極子２８ａ，２８ｂが分割ヨーク３１Ａ，３１Ｂに接触したとしても、その衝撃で分割ヨーク３１Ａ，３１Ｂの位置が左右方向においてずれることがない。よって、接極子２８ａ又は２８ｂが接触した際の衝撃で、分割ヨーク３１Ａ，３１Ｂの脚片３１ｂ間のギャップが変動するのを抑制でき、磁気吸引力を安定させることができる。
【００４３】
尚、図５及び図６に示す有極電磁石２０では、分割ヨーク３１Ａ，３１Ｂに切欠溝３１ｄが、コイル枠２６に突起２６ｅが設けられているが、分割ヨーク３１Ａ，３１Ｂに突起を設けるとともに、コイル枠２６側に突起が係合する溝や凹部を設けてもよい。
【００４４】
また、本実施形態の有極電磁石２０は、コイル２５への通電方向を切り替える切替回路が樹脂成形品からなる基台６１に設けられた切替回路ブロック６０を備えている。この切替回路ブロック６０は、図７（ａ），（ｂ）に示すように、プランジャ２７に対してその進退方向と直交する方向の片側（本実施形態では上側）に配置される。基台６１の周部には切欠６１ａが設けられ、コイル枠２６に設けたリブ２６ｆを切欠６１ａに係合させた状態で、両者を熱着することによって、基台６１がコイル枠２６に固定される。ここで、図７（ａ）（ｃ）に示すように、各分割ヨーク３１Ａ，３１Ｂの上側の脚片３１ｂに切欠溝３１ｅ（第２被係合部）を設けるとともに、この切欠溝３１ｅに係合する突起６１ｂ（第２係合部）を基台６１に設けることも好ましい。この場合、各分割ヨーク３１Ａ，３１Ｂの下側の脚片３１ｂに切欠溝３１ｄ（第１被係合部）を設けるとともに、この切欠溝３１ｄに係合する突起６１ｂ（第１係合部）を基台６１に設けることも好ましい。
【００４５】
これにより、コイル枠２６の左右両側から分割ヨーク３１Ａ，３１Ｂを取り付けた後、コイル枠２６に切替回路ブロック６０の基台６１を固定すると、分割ヨーク３１Ａ，３１Ｂの上側の脚片３１ｂに設けられた切欠溝３１ｅに突起６１ｂが係合する。また分割ヨーク３１Ａ，３１Ｂの下側の脚片３１ｂに設けられた切欠溝３１ｄに突起２６ｅが係合する。而して、分割ヨーク３１Ａ，３１Ｂの切欠溝３１ｄにコイル枠２６の突起２６ｅが、切欠溝３１ｅに基台６１の突起６１ｂがそれぞれ係合するので、左右方向において分割ヨーク３１Ａ，３１Ｂが位置決めされる。したがって、プランジャ２７が前進又は後進した際に、プランジャ２７に固定された接極子２８ａ，２８ｂが分割ヨーク３１Ａ，３１Ｂに接触したとしても、その衝撃で分割ヨーク３１Ａ，３１Ｂの位置が左右方向においてずれることがない。よって、接極子２８ａ又は２８ｂが接触した際の衝撃で、分割ヨーク３１Ａ，３１Ｂの脚片３１ｂ間のギャップが変動するのを抑制でき、磁気吸引力を安定させることができる。また、基台６１は、分割ヨーク３１Ａ，３１Ｂが取り付けられたコイル枠２６に上側から載せ置かれて、コイル枠２６に例えば熱着により固定されるので、基台６１の突起６１ｂは、コイル枠２６に設けた突起２６ｅよりも突出量を大きくできる。したがって、コイル枠２６の突起２６ｅを切欠溝３１ｄに係合させる場合に比べて、基台６１の突起６１ｂを切欠溝３１ｅに係合させる方が、より強固に係合させることができ、分割ヨーク３１Ａ，３１Ｂの位置ずれをさらに抑制できる。
【００４６】
また上述のリモコンリレー１において、図８（ａ）（ｂ）に示すように、ボディ１１の仕切片１１ｂに、コイル枠２６の側部２６ｃに当接するリブ１７を突設することも好ましい。リブ１７は、カバー１２に近付くほど仕切片１１ｂからの突出量が小さくなるようなテーパ形状に形成されており、仕切片１１ａ，１１ｂの間に有極電磁石２０を収納すると、リブ１７がコイル枠２６の側部２６ｃに当接する。
【００４７】
これにより、有極電磁石２０がケース内に収納された状態では、リブ１７がコイル枠２６の側部２６ｃに当接することで、リブ１７と仕切片１１ａとの間に有極電磁石２０が挟まれた状態で収納され、左右方向（プランジャ２７の進退方向）において位置決めされる。よって、プランジャ２７が前進又は後進した際に、プランジャ２７に固定された接極子２８ａ，２８ｂが分割ヨーク３１Ａ，３１Ｂに接触したとしても、その衝撃で分割ヨーク３１Ａ，３１Ｂの位置が左右方向においてずれることがない。また、有極電磁石２０に仕切片１１ａ側への弾性力を付与する板ばね１９が不要になるから、部品点数を削減することができる。
【００４８】
次に、上述のリモコンリレー１が使用される遠隔監視制御システムについて図９（ａ）及び図１０を参照して説明する。
【００４９】
図９（ａ）は遠隔監視制御システムの概略的なシステム構成図である。本システムでは、２線式の伝送線Ｌ１に、伝送ユニット１００と、操作スイッチＳＷ１，ＳＷ２の状態を監視する操作用端末器１０１と、上述のリモコンリレー１により照明器具のような負荷１０４への給電を制御する制御用端末器１０２とが接続されている。ここで、図９（ａ）中の１０３はリレー駆動用の電源トランスである。尚、図９（ａ）のシステム構成図では、操作用端末器１０１および制御用端末器１０２が１台ずつしか接続されていないが、各端末器１０１，１０２の台数はシステムの規模に応じて適宜変更が可能である。
【００５０】
この遠隔監視制御システムでは、伝送ユニット１００から図１０（ａ）に示すような形式を有した伝送信号Ｖｓを送出することにより、各端末器１０１，１０２との間でデータの授受を行う。伝送信号Ｖｓは、スタートパルスＳＴ、信号のモードを示すモードデータＭＤ、アドレスデータＡＤ、負荷１０４の制御内容を示す制御データＣＤ、エラー訂正符号ＣＳ、各端末器１０１，１０２から返送信号を返送するための返送待機期間ＷＴからなる。この伝送信号Ｖｓは複極性（±２４Ｖ）の時分割多重信号であり、パルス幅変調によってデータが伝送される。
【００５１】
各端末器１０１，１０２では、２線式の伝送線Ｌ１を介して受信された伝送信号ＶｓのアドレスデータＡＤに含まれるアドレスが、予め設定された自己のアドレスと一致したときに、その伝送信号Ｖｓの制御データＣＤを取り込む。また各端末器１０１，１０２は、受信した伝送信号Ｖｓが自機宛ての場合、伝送信号Ｖｓの返送待機期間ＷＴに同期して返送信号を電流モード信号（伝送線Ｌ１の線間を適当な低インピーダンスを介して短絡して送出される信号）として返送する。
【００５２】
操作用端末器１０１では、監視対象の操作スイッチＳＷ１，ＳＷ２が操作されると、通常時に伝送されてくる伝送信号Ｖｓ（図１０（ｂ）参照）のスタートパルスＳＴに同期して、図１０（ｃ）に示すように割り込み信号Ｖｉを電流モードにより送出する。
【００５３】
つまり伝送ユニット１００は、信号送信手段と、割り込み処理手段とを備え、信号送信手段により、モードデータＭＤをポーリングモードとして常時監視する対象の端末器或いはダミーのアドレスデータＡＤを持つ伝送信号Ｖｓを常時送出する。また、ポーリングモードにおいて割り込み信号Ｖｉが受信されると、伝送ユニット１００の割り込み処理手段はグループアドレスを持つ伝送信号Ｖｓを順次送信し、割り込み信号Ｖｉを送信した操作用端末器１０１を検出する。尚、グループアドレスとは、操作用端末器１０１をグループ単位で識別するために用いられるアドレスである。
【００５４】
割り込み信号Ｖｉを送出した操作用端末器１０１は、自己が属するグループアドレスのアクセス時に自己のアドレスを返送待機期間ＷＴに返送信号として返送する。この返送信号を受信した伝送ユニット１００では、送られてきたアドレスデータをもとに割り込み信号Ｖｉを発生した操作用端末器１０１を特定する。割り込みをかけた端末器が特定されると、伝送ユニット１００は、この操作用端末器１０１をアクセスする伝送信号Ｖｓを送出し、当該操作用端末器１０１から返送待機期間ＷＴに操作スイッチＳＷ１…の操作データを監視データとして返送させる。
【００５５】
伝送ユニット１００では、一連の割り込み処理を経て監視データを受信すると、当該操作用端末器１０１と予め対応付けられた制御用端末器１０２への制御データＣＤを監視データに基づいて作成する。そして、伝送ユニット１００は、作成した制御データＣＤを、当該制御用端末器１０２のアドレスデータＡＤとともに伝送信号Ｖｓにより時分割多重伝送する。この伝送信号Ｖｓによりアクセスされた制御用端末器１０２は、制御データＣＤの制御内容に応じたリモコンリレー１を制御駆動して、そのリレー接点により負荷１０４への電源供給をオン／オフする。
【００５６】
このように遠隔監視制御システムでは操作用端末器１０１の操作スイッチＳＷ１…の操作に応じて、対応する制御用端末器１０２によりリモコンリレー１を介して負荷１０４への電源供給をオン／オフすることができるのである。
【符号の説明】
【００５７】
１  リモコンリレー
１０  ケース
１７  リブ
２０  有極電磁石（電磁石装置）
２３  永久磁石
２４  補助ヨーク
２５  コイル
２６  コイル枠（コイルボビン）
２６ｅ  突起（第１係合部）
２７  プランジャ
２８ａ  接極子（第１の接極子）
２８ｂ  接極子（第２の接極子）
３０  ヨーク
３１Ａ  分割ヨーク（第１分割ヨーク）
３１Ｂ  分割ヨーク（第２分割ヨーク
３１ａ  中央片
３１ｂ  脚片
３１ｃ  挿入孔（第１挿入孔、第２挿入孔）
３１ｄ  切欠溝（第１被係合部）
３１ｅ  切欠溝（第２被係合部）
６０  切替回路ブロック
６１  基台
６１ｂ  突起（第２係合部）
７０  開閉機構部
ｒ１  接点部
【図１】
0005480718.tif 000002
【図２】
0005480718.tif 000003
【図３】
0005480718.tif 000004
【図４】
0005480718.tif 000005
【図５】
0005480718.tif 000006
【図６】
0005480718.tif 000007
【図７】
0005480718.tif 000008
【図８】
0005480718.tif 000009
【図９】
0005480718.tif 000010
【図１０】
0005480718.tif 000011
【図１１】
0005480718.tif 000012
【図１２】
0005480718.tif 000013